(57)【要約】【課題】オス側コネクタ部がメス側ハウジング部に適正にセットされているか否か容易に判別することができるコネクタを提供する。【解決手段】オス側コネクタ部１とメス側ハウジング部２とからなるコネクタにおいて、メス側ハウジング部２に、オス側コネクタ部１の嵌合状態を確認するための窓２１を形成し、オス側コネクタ部１は、メス側ハウジング部２への嵌合方向であって窓２１と対面する側に２つの色部１１、１２を有し、オス側コネクタ部１がメス側ハウジング部２に適正にセットされたとき、１つの色部１１のみ窓２１に現れるよう２つの色部１１、１２を分割形成した。【選択図】        図１
2004363044.tif 000002
【特許請求の範囲】
【請求項１】
オス側コネクタ部とメス側ハウジング部とからなるコネクタにおいて、メス側ハウジング部に、オス側コネクタ部の嵌合状態を確認するための窓を形成したことを特徴とするコネクタ。
【請求項２】
オス側コネクタ部は、メス側ハウジング部への嵌合方向であって窓と対面する側に２つの色部を有していることを特徴とする請求項１記載のコネクタ。
【請求項３】
オス側コネクタ部がメス側ハウジング部に適正にセットされたとき、１つの色部のみ窓に現れるよう２つの色部を分割形成したことを特徴とする請求項２記載のコネクタ。
【発明の詳細な説明】
【０００１】
【発明の属する技術分野】
本発明は、オス側コネクタ部とメス側ハウジング部とからなる、各種機器のハーネス（電線）のコネクタに関し、特に、オス側コネクタ部のメス側ハウジング部へのセット（嵌合）状態確認構造に関する。
【０００２】
【従来の技術】
オス側コネクタ部とメス側ハウジング部とからなる、各種機器のハーネス（電線）のコネクタおけるオス側コネクタ部のメス側ハウジング部へのセット（嵌合）状態確認構造に関しては、特許文献１、特許文献２記載の技術がある。
【０００３】
【特許文献１】
特開平３−２６８８５３号公報
【特許文献２】
特開平９−２１２５９号公報
【０００４】
【発明が解決しようとする課題】
特許文献１には、透明プラスチックにより接触子の状態を確認できる旨記載されているが、コネクタハウジングの不完全なセット状態の判別がし難いという欠点がある。また特許文献２記載の構造では、留め金が移動したことを確認用窓から目視確認する場合、一方向（リアホルダー）からしかできないという欠点がある。オス側コネクタ部がメス側ハウジング部に適正にセットされないと機器の機能的不良が発生する。
【０００５】
本発明は、オス側コネクタ部がメス側ハウジング部に適正にセットされているか否か容易に判別することができるコネクタを提供することを目的とする。
【０００６】
【課題を解決するための手段】
上記目的を達成するために、請求項１記載の発明では、オス側コネクタ部とメス側ハウジング部とからなるコネクタにおいて、メス側ハウジング部に、オス側コネクタ部の嵌合状態を確認するための窓を形成したコネクタを最も主要な特徴とする。
【０００７】
請求項２記載の発明では、オス側コネクタ部は、メス側ハウジング部への嵌合方向であって窓と対面する側に２つの色部を有している請求項１記載のコネクタを主要な特徴とする。
【０００８】
請求項３記載の発明では、オス側コネクタ部がメス側ハウジング部に適正にセットされたとき、１つの色部のみ窓に現れるよう２つの色部を分割形成した請求項２記載のコネクタを主要な特徴とする。
【０００９】
【発明の実施の形態】
以下、本発明の実施の形態を図面に従って説明する。
図１は本発明の第１の実施の形態に係るコネクタの分解斜視図、図２は本発明の第１の実施の形態に係るコネクタにおいて、オス側コネクタ部がメス側ハウジング部に適正にセットされた状態を示す斜視図、図３は本発明の第１の実施の形態に係るコネクタにおいて、オス側コネクタ部がメス側ハウジング部に適正にセットされていない状態を示す斜視図である。
【００１０】
図１に示すように、コネクタは、オス側コネクタ部１とメス側ハウジング部２から構成されている。オス側コネクタ部１は、ハーネス３の一端に取り付けられており、メス側ハウジング部２への嵌合方向（図の上下方向）において２つの色で分割されている。すなわち、有色部１１と白色部１２を有している。なお白色ではなくて有色同士で異なる２つの色でも差し支えない。一方メス側ハウジング部２は、作業者に対面する側にオス側コネクタ部１の嵌合状態を確認するための窓２１を形成している。
【００１１】
オス側コネクタ部１がメス側ハウジング部２に適正にセットされたとき、図２に示すように、嵌合方向における上流側（ハーネス３側）の有色部１１のみ窓２１に現れるようになっている。
【００１２】
逆にオス側コネクタ部１がメス側ハウジング部２に適正にセットされていないとき、つまりオス側コネクタ部１が浮いているとき、図３に示すように、嵌合方向における上流側（ハーネス３側）の有色部１１のほか下流側の白色部１２の一部が窓２１に現れるようになっている。
【００１３】
従って作業者はメス側ハウジング部２の窓２１に現れる色から、オス側コネクタ部１とメス側ハウジング部２のセット状態を目視で容易に確認することができ、信頼性の高い工程検査を実施することができる。
【００１４】
図４は本発明の第２の実施の形態に係るコネクタにおいて、オス側コネクタ部がメス側ハウジング部に適正にセットされた状態を示す斜視図、図５は本発明の第２の実施の形態に係るコネクタにおいて、オス側コネクタ部がメス側ハウジング部に適正にセットされていない状態を示す斜視図である。第２の実施形態に示すように、窓２１を複数設けるようにしてもよい。
【００１５】
なお、オス側コネクタ部１の２つの色部（第１、第２の実施形態の場合、有色部１１と白色部１２）は窓２１と対面する部分だけでもその機能を果たすことができる。
【００１６】
【発明の効果】
以上説明したように、本発明によれば、オス側コネクタ部とメス側ハウジング部とからなるコネクタにおいて、メス側ハウジング部に、オス側コネクタ部の嵌合状態を確認するための窓を形成し、オス側コネクタ部は、メス側ハウジング部への嵌合方向であって窓と対面する側に２つの色部を有し、オス側コネクタ部がメス側ハウジング部に適正にセットされたとき、１つの色部のみ窓に現れるよう２つの色部を分割形成したので、作業者はメス側ハウジング部の窓に現れる色から、オス側コネクタ部とメス側ハウジング部のセット状態を目視で容易に確認することができ、信頼性の高い工程検査を実施することができる。
【図面の簡単な説明】
【図１】本発明の第１の実施の形態に係るコネクタの分解斜視図である。
【図２】本発明の第１の実施の形態に係るコネクタにおいて、オス側コネクタ部がメス側ハウジング部に適正にセットされた状態を示す斜視図である。
【図３】本発明の第１の実施の形態に係るコネクタにおいて、オス側コネクタ部がメス側ハウジング部に適正にセットされていない状態を示す斜視図である。
【図４】本発明の第２の実施の形態に係るコネクタにおいて、オス側コネクタ部がメス側ハウジング部に適正にセットされた状態を示す斜視図である。
【図５】本発明の第２の実施の形態に係るコネクタにおいて、オス側コネクタ部がメス側ハウジング部に適正にセットされていない状態を示す斜視図である。
【符号の説明】
１  オス側コネクタ部
２  メス側ハウジング部
１１  有色部
１２  白色部
２１  窓
【図１】
2004363044.tif 000003
【図２】
2004363044.tif 000004
【図３】
2004363044.tif 000005
【図４】
2004363044.tif 000006
【図５】
2004363044.tif 000007